【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
光学系を介して被写体の連続する映像を撮像する撮像手段と、
前記撮像手段で撮像された画像であって、現在のオートフォーカスの対象位置を含む画像を画面に表示する表示手段と、
前記画像が表示された画面上において、前記現在のオートフォーカスの対象位置である第１のタッチ位置と、前記第１のタッチ位置から離間した新たなオートフォーカスの対象位置である第２のタッチ位置とを同時に検知する検知手段と、
前記第１のタッチ位置と前記第２のタッチ位置の間の距離の減少に応じて合焦位置を前記現在のオートフォーカスの対象位置から前記新たなオートフォーカスの対象位置に段階的に変更する制御手段と、を有することを特徴とする撮像装置。
【請求項２】
前記距離が所定量より小さい場合に、前記制御手段は、前記現在のオートフォーカスの対象位置を前記新たなオートフォーカスの対象位置に直ちに変更することを特徴とする請求項１に記載の撮像装置。
【請求項３】
前記制御手段は、前記第１のタッチ位置と前記第２のタッチ位置の間の距離が変化する速度に応じて前記現在のオートフォーカスの対象位置を前記新たなオートフォーカスの対象位置に移動するように前記光学系を制御することを特徴とする請求項１または２に記載の撮像装置。
【請求項４】
光学系を介して被写体の連続する映像を撮像する撮像手段と、前記撮像手段で撮像された画像であって、現在のオートフォーカスの対象位置を含む画像を画面に表示する表示手段と、を有する撮像装置の制御方法であって、
前記画像が表示された画面上において、前記現在のオートフォーカスの対象位置である第１のタッチ位置と、前記第１のタッチ位置から離間した新たなオートフォーカスの対象位置である第２のタッチ位置とを同時に検知する検知ステップと、
前記第１のタッチ位置と前記第２のタッチ位置の間の距離の減少に応じて合焦位置を前記現在のオートフォーカスの対象位置から前記新たなオートフォーカスの対象位置に段階的に変更する制御ステップと、を有することを特徴とする撮像装置の制御方法。
【請求項５】
前記距離が所定量より小さい場合に、前記制御ステップでは、前記現在のオートフォーカスの対象位置を前記新たなオートフォーカスの対象位置に直ちに変更することを特徴とする請求項４に記載の撮像装置の制御方法。
【請求項６】
前記制御ステップでは、前記第１のタッチ位置と前記第２のタッチ位置の間の距離が変化する速度に応じて前記現在のオートフォーカスの対象位置を前記新たなオートフォーカスの対象位置に移動するように前記光学系を制御することを特徴とする請求項４または５に記載の撮像装置の制御方法。
【請求項７】
光学系を介して被写体の連続する映像を撮像する撮像手段と、
前記撮像手段で撮像された画像であって、現在のオートフォーカスの対象位置を含む画像を画面に表示する表示手段と、
前記画像が表示された画面上において、第１のタッチ位置と、前記第１のタッチ位置から離間した第２のタッチ位置とを同時に検知する検知手段と、
前記第１のタッチ位置と前記第２のタッチ位置の間に表示された被写体を新たなオートフォーカスの対象位置として選択し、
前記第１のタッチ位置と前記第２のタッチ位置の間の距離の減少に応じて合焦位置を前記現在のオートフォーカスの対象位置から前記新たなオートフォーカスの対象位置に段階的に変更する制御手段と、を有することを特徴とする撮像装置。
【請求項８】
前記検知手段により前記第１のタッチ位置および前記第２のタッチ位置の両方が互いに遠ざかるように移動したことが検知された場合、前記制御手段は、前記第１のタッチ位置および前記第２のタッチ位置の間に表示された被写体の位置と対応する合焦位置にならないように前記現在のオートフォーカスの対象位置を変更することを特徴とする請求項７に記載の撮像装置。
【請求項９】
前記制御手段は、前記第１のタッチ位置と前記第２のタッチ位置の間の距離が変化する速度に応じて前記現在のオートフォーカスの対象位置を前記新たなオートフォーカスの対象位置に移動するように前記光学系を制御することを特徴とする請求項７または８に記載の撮像装置。
【請求項１０】
光学系を介して被写体の連続する映像を撮像する撮像手段と、前記撮像手段で撮像された画像であって、現在のオートフォーカスの対象位置を含む画像を画面に表示する表示手段と、を有する撮像装置の制御方法であって、
前記画像が表示された画面上において、第１のタッチ位置と、前記第１のタッチ位置から離間した第２のタッチ位置とを同時に検知する検知ステップと、
前記第１のタッチ位置と前記第２のタッチ位置の間に表示された被写体を新たなオートフォーカスの対象位置として選択し、
前記第１のタッチ位置と前記第２のタッチ位置の間の距離の減少に応じて合焦位置を前記現在のオートフォーカスの対象位置から前記新たなオートフォーカスの対象位置に段階的に変更する制御ステップと、を有することを特徴とする撮像装置の制御方法。
【請求項１１】
前記第１のタッチ位置および前記第２のタッチ位置の両方が互いに遠ざかるように移動したことが検知された場合、前記制御ステップでは、前記第１のタッチ位置および前記第２のタッチ位置の間に表示された被写体の位置と対応する合焦位置にならないように前記現在のオートフォーカスの対象位置を変更することを特徴とする請求項１０に記載の撮像装置の制御方法。
【請求項１２】
前記制御ステップでは、前記第１のタッチ位置と前記第２のタッチ位置の間の距離が変化する速度に応じて前記現在のオートフォーカスの対象位置を前記新たなオートフォーカスの対象位置に移動するように前記光学系を制御することを特徴とする請求項１０または１１に記載の撮像装置の制御方法。
【請求項１３】
コンピュータを、請求項１ないし３、７ないし９のいずれか１項に記載された撮像装置の各手段として機能させるためのプログラム。
【請求項１４】
コンピュータを、請求項１ないし３、７ないし９のいずれか１項に記載された撮像装置の各手段として機能させるためのプログラムを記憶したコンピュータによる読み取りが可能な記憶媒体。
【手続補正２】
【補正対象書類名】明細書
【補正対象項目名】０００６
【補正方法】変更
【補正の内容】
【０００６】
上記課題を解決し、目的を達成するために、本発明の撮像装置は、光学系を介して被写体の連続する映像を撮像する撮像手段と、前記撮像手段で撮像された画像であって、現在のオートフォーカスの対象位置を含む画像を画面に表示する表示手段と、前記画像が表示された画面上において、前記現在のオートフォーカスの対象位置である第１のタッチ位置と、前記第１のタッチ位置から離間した新たなオートフォーカスの対象位置である第２のタッチ位置とを同時に検知する検知手段と、前記第１のタッチ位置と前記第２のタッチ位置の間の距離の減少に応じて合焦位置を前記現在のオートフォーカスの対象位置から前記新たなオートフォーカスの対象位置に段階的に変更する制御手段と、を有する。
【手続補正３】
【補正対象書類名】明細書
【補正対象項目名】００１２
【補正方法】変更
【補正の内容】
【００１２】
図１において、１０１はズームレンズ群・絞り・ＮＤ（ｎｅｕｔｒａｌ  ｄｅｎｓｉｔｙ）フィルタ等により構成される光学系である。１０２はフォーカスレンズである。１０３はＣＣＤやＣＭＯＳからなるイメージセンサを備え、サンプル／ホールド回路（Ｓ／Ｈ回路）、プリプロセス回路等により構成される撮影部である。１０４は信号処理部である。１０６は信号記録部であり、１０７はフラッシュメモリ等の記録メディアである。１０８はカメラ全体を制御するための制御部であり、１０９は静電容量方式のタッチパネル等で構成される操作部である。表示部１１０は、液晶パネル等により構成され、ユーザが被写体を確認するための映像信号を表示する。
【手続補正４】
【補正対象書類名】明細書
【補正対象項目名】００１７
【補正方法】変更
【補正の内容】
【００１７】
コントラスト取得方式の焦点調整とは、光学系１０１によって形成された物体像の鮮鋭度を、所定の関数による映像信号の評価によって求め、鮮鋭度が極値をとるようにフォーカスレンズ１０２の光軸上位置を調整するものである。評価関数としては、隣接する画素間の輝度信号の差の絶対値を焦点検出領域内で加算するものや、隣接する画素間の輝度信号の差の２乗を焦点検出領域内で加算するものがある。焦点検出領域は映像信号の中から任意に設定できるので、撮影画像中の被写体の任意の位置に対する焦点調整を行うことができる。
【手続補正５】
【補正対象書類名】明細書
【補正対象項目名】００７５
【補正方法】変更
【補正の内容】
【００７５】
ステップＳ１３０５では、制御部１０８は、Ｄが所定量Ｍ−Ｒより小さいか判定し、小さい場合にはステップＳ１３０６でデフォーカスフラグＦに１、同じかそれより大きい場合にはステップＳ１３０７でデフォーカスフラグＦに０を代入する。このフラグは、２つの指示位置の間隔が所定距離より狭い場合に、それらを広げることでデフォーカス状態への制御を以降の処理で行うことを意味する。